(57)【要約】  ハウジング１は、先端部４がキャップ５によってカバーされているところの針３を内包するランセット本体２を保持している。キャップの多端はフランジ７を提供されているヘッド６を有している。これらのフランジは、ハウジング１の二つのサイドのみにおけるハウジング１の端部でＶ字型の切れ込み８の内側に位置している。Ｖ字型の切れ込み８の内側のフランジ７の位置は、使用前は、ヘッド９とハウジング１の細い溝をつけられている部分１０との間に配置されているスプリング（図示されていない）を圧縮するように本体１の内側のランセット２を保持している。装置が使用される際には、キャップ５のヘッド６は、ランセット本体の支え部分からキャップを分離するようにそしてＶ字型の切れ込み８からフランジ７を解放するように、９０度回転される。このことは、必要とされる際に、針の先端部４がハウジング１の端部の開口を通って短い時間突き出すようにそしてそれから回復するように、スプリングを取り付けられて負荷をかけられている引き金解放機構によって駆動されることを許容する。【選択図】      図３
2007501043.tif 000002
【特許請求の範囲】
【請求項１】
ハウジングの中に設置されている針を保持しているランセットを備えており且つ針を覆って配置されているキャップを有する血液サンプル採取装置において、キャップはハウジングの一端部で開口を通って突き出すために長く伸びており且つハウジングの外側壁の一つまたはそれ以上の協同する機構にぴったりと適合している一つまたはそれ以上の位置決め部材を有しており、キャップがハウジングからそして針から分離させられることができるように、キャップは協同する機構から位置決め部材を解放するためにねじることが可能になっていることを特徴とする血液サンプル採取装置。
【請求項２】
その或いは各々の位置決め部材はフランジまたはリブであり、そして、その或いは各々の協同する機構は溝であり、或いはまたその反対であることを特徴とする請求項１に記載の血液サンプル採取装置。
【請求項３】
ハウジングの外側壁の二つの相対向する側の溝の中にぴったりと適合する二つのフランジがあることを特徴とする請求項２に記載の血液サンプル採取装置。
【請求項４】
ランセットは、ハウジングの開口に向かう方向にランセットを推進するためにスプリングを取り付けられ負荷がかけられていることを特徴とする請求項１〜３のいずれか一つに記載の血液サンプル採取装置。
【請求項５】
ラッチが引き金によって解放されるまではむき出しにされた針が上記開口を通って突き出すことができないように、ハウジングの内側のランセットを保持するためのラッチを解放可能にする引き金を含んでいることを特徴とする請求項４に記載の血液サンプル採取装置。
【請求項６】
実質上、添付図面を参照してここに説明されているところの血液サンプル採取装置。
【請求項７】
ここで説明されているところの及び/または添付図面において説明されているところの血液サンプル採取装置の特質のいかなる新しい種類の組み合わせ。
【発明の詳細な説明】
【技術分野】
【０００１】
本発明は、血液サンプル採取装置の改良技術に関する。
【背景技術】
【０００２】
血液サンプル採取装置の従来の形式は、血液サンプルが採取されることを可能にするために、患者の皮膚に刺すためハウジングの端部から短い時間針先端を突き出させるために、引き金の解放によって、ランセットが前方に駆動されるように、ハウジング内でスプリングを取り付けられ負荷をかけられているランセットを備えている。使用前の輸送のために、針は移動可能なキャップで覆われており、ランセットはスプリングを取り付けられ負荷をかけられた状態においてハウジング内に保持されている。使用前の輸送中におけるランセットのハウジングからの解放に対してより大きな安全性を提供するところの特質を備えている血液サンプル採取装置を提供することが本発明の目的である。
【発明の開示】
【０００３】
それゆえに、ハウジングの中に設置されて針を保持しているランセットを備え且つ針を覆って配置されているキャップを有している血液サンプル採取装置が提供されており、キャップはハウジングの一端部で開口を通して突き出すために長く伸びており且つハウジングの外部壁の一つまたはそれ以上の協同する機構にぴったりと適合する一つまたはそれ以上の位置決め部材を有しており、キャップは、キャップがハウジングから且つ針から分離されることができるように協同する機構から位置決め部材を解放するためにねじることが可能になっている。
【０００４】
理想的には、その或いは各々の位置決め部材はフランジまたはリブであり、その或いは各々の協同する機構は溝であるか、またはその反対である。ハウジングの外部壁の二つの相対向する側における溝にぴったりと適合する二つのフランジであることができる。もしそうでなければ、ランセットをハウジングの外に駆動することをスプリングに生じさせるための駆動機構を解放することとなる引き金に対し圧力が不注意に適用されたとしても、キャップは輸送している間ハウジングの中に安全にランセットを保持している。使用前に、ユーザーは、キャップが針の先端から分離されそして移動されることが可能になるようにキャップをランセットの支え部分に関し回転するであろう。この回転は、また、位置決め部材を協同する機構から解放し、このようにしてキャップが装置から分離されることを可能にし、その間ずっと準備された状態のランセットを離れている。
【０００５】
好ましい装置において、ランセットは、ハウジングの開口に向かってランセットを推進するためにスプリングを取り付けられ負荷をかけられている。
理想的には、装置は、ラッチが引き金によって解放されるまでむき出しにされた針が上記開口を通って突き出すことができないように、ハウジングの中のランセットを保持するためにラッチを解放可能にする引き金を含んでいる。
【発明を実施するための最良の形態】
【０００６】
発明は、様々な手段で実行される、そしてそれ故に選択された例が添付の図面を参照してここに説明されている。
【０００７】
図１〜３における装置は、ランセット本体２を保持するハウジング１を備えている。特に図３から見られるように、先端４がキャップ５によって被覆されている針３を収めている。キャップの多端はフランジ７を提供されているヘッド６を有している。これらのフランジはハウジング１の端部でＶ字型の切れ込みの中に位置している。図４に見られるように、フランジ７とＶ字型の切れ込み８はハウジング１の二つの側のみに提供されている。
【０００８】
Ｖ時型の切れ込み８の内側のフランジの位置は、ヘッド９とハウジング１の細い溝をつけられている部分１０との間に配置されているスプリング（図示されていない）を圧縮するように本体１の内側のランセット２を保持している。装置が使用される際には、キャップ５のヘッド６は、ハウジング１の二つの側におけるＶ字型の切れ込み８からフランジ７を解放するように９０度回転される。このことは、ランセットの水平な突出部１１が引き金部材１３（図５）のフランジ１２に対して位置するまでランセット本体２を（スプリングのバイアスの下に）前方に移動させることを許容する。キャップ５のひねりは、また、弱くされたエリア１４でのランセット本体２の支え部分からキャップを解放する。キャップは、それから、図６に示されるように、ハウジング１の中の針の先端４をむき出しにするように移動されることができる。血液サンプル採取装置は、フランジ１２が水平な突出部１１から解放されるように引き金１３を押すことによって作動されることができる。このことは、針の先端４がハウジング１の端部の開口を通して短い時間突き出すようにランセットをスプリングによって前方に駆動させそしてそれから回復する。
【図面の簡単な説明】
【０００９】
【図１】本発明の血液サンプル採取装置の平面図。
【図２】本発明の血液サンプル採取装置の側面図。
【図３】図１、２の装置の部分横断面図。
【図４−６】変化する使用状態における図１，２の装置の横断面図。
【図１】
2007501043.tif 000003
【図２】
2007501043.tif 000004
【図３】
2007501043.tif 000005
【図４】
2007501043.tif 000006
【図５】
2007501043.tif 000007
【図６】
2007501043.tif 000008
【国際調査報告】
2007501043.tif 000009
2007501043.tif 000010
2007501043.tif 000011
2007501043.tif 000012